(57)【要約】  【課題】  本発明は、スタンドの貯水タンクからアイロン本体の本体タンクに水が自動的に供給されるアイロン装置において、水位検知手段、信号処理手段、制御手段への水の進入を防ぐとともに、誤動作し、貯水タンクから本体タンクへの水の給水が停止しない場合においても、安全で、安心してアイロン掛け作業ができる使い勝手のよいアイロン装置を得ることを目的とするものである。  【解決手段】  スタンドの貯水タンクの水を、ポンプ装置により、給水部からアイロン本体の受水部を介して本体タンクへ水を給水するとともに、水位検知手段、信号処理手段、制御手段で本体タンクへの給水を制御するアイロン本体において、本体タンクに溢水防止用の弁体を設けることにより、アイロン本体内部への水の浸入、および外郭部から水の噴出することがないようにしたものである。【選択図】  図１
2005040323.tif 000002
【特許請求の範囲】
【請求項１】
ヒータによって加熱されるベース、前記ベースに形成した気化室、前記気化室に供給される水を貯える本体タンク、前記本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに溢水防止用の弁体を設けたアイロン装置。
【請求項２】
ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに置換穴を設けるとともに、この置換穴を前記アイロン本体の外郭部に露出させたアイロン装置。
【請求項３】
カバーに穴部を設け、この穴部を本体タンクの置換穴と同軸上に設けるとともに、連結部材で連結した請求項２記載のアイロン装置。
【請求項４】
連結部材は、ゴム等の弾性体で構成した請求項３記載のアイロン装置。
【請求項５】
連結部材は、弁体と一体に構成した請求項３または４記載のアイロン装置。
【請求項６】
ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記カバーは透明または半透明の部材で構成したアイロン装置。
【発明の詳細な説明】
【技術分野】
【０００１】
本発明は衣類等のしわ伸ばしを行うアイロン本体をスタンドに載置することにより、同アイロン本体のタンクに水が自動的に供給されるアイロン装置に関するものである。
【背景技術】
【０００２】
従来、この種のアイロン装置は、スタンドに貯水タンクと載置部を設け、上記載置部にアイロン本体を載置することによって、同アイロン本体内に水が供給されるようになっていた（例えば、特許文献１参照）。
【特許文献１】特開平６−２３２００号公報
【発明の開示】
【発明が解決しようとする課題】
【０００３】
しかし、特許文献１に記載された構造のものでは、アイロン本体をスタンドに載置する場合、貯水タンク内の水をスタンドの載置部に突出させた給水部からポンプ装置により、アイロン本体の後部に設けた受水部より本体タンクに供給するが、その供給を制御する水位検知手段、信号処理手段が誤動作した場合、本体タンクの置換穴から水が噴出するという問題があった。
【０００４】
そこで、本発明は、水位検知手段、信号処理手段が誤動作した場合においても、本体タンクの置換穴から水が噴出するということがなく、使い勝手のよいアイロン装置を得ることを第１の目的としている。
【０００５】
第２の目的は、本体タンク内の水が蒸発した場合においても、アイロン内部で結露することがなく、貯水タンクから本体タンクへの水の供給を制御する手段の誤動作もなくなり、安全で使い勝手の良いアイロン装置を得ることである。
【課題を解決するための手段】
【０００６】
そして、上記第１の目的を達成するために本発明は、ヒータによって加熱されるベース、前記ベースに形成した気化室、前記気化室に供給される水を貯える本体タンク、前記本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに溢水防止用の弁体を設けたことを、第１の課題解決手段としている。
【０００７】
また、本発明は、ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに置換穴を設けるとともに、この置換穴をアイロン本体の外郭部に露出させたことを第２の課題解決手段としている。
【０００８】
また、上記第２の目的を達成するために本発明は、第２の課題解決手段において、カバーに穴部を設け、この穴部を本体タンクの置換穴と同軸上に設けるとともに、連結部材で連結したことを第３の課題解決手段としている。
【０００９】
また、本発明は、第３の課題解決手段において、連結部材は、ゴム等の弾性体で構成したことを第４の課題解決手段としている。
【００１０】
また、本発明は、第３または第４の課題解決手段において、連結部材は、弁体と一体に構成したことを第５の課題解決手段としている。
【００１１】
また、本発明は、ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記カバーを透明または半透明の部材で構成したことを第６の課題解決手段としている。
【発明の効果】
【００１２】
本発明の請求項１に記載の発明によれば、ヒータによって加熱されるベース、前記ベースに形成した気化室、前記気化室に供給される水を貯える本体タンク、前記本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに溢水防止用の弁体を設けたことで、アイロン本体の後部に設けた受水部より本体タンクに供給するが、その供給を制御する水位検知手段、信号処理手段が誤動作した場合、本体タンクの置換穴から水が噴出することがなくなり、アイロン本体内部に水が入り、故障することもなくなり、使い勝手のよいアイロン装置を得ることができる。
【００１３】
また、請求項２に記載の発明によれば、ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに置換穴を設けるとともに、この置換穴をアイロン本体の外郭部に露出させたことで、本体タンク内の水が蒸発した場合においても、アイロン内部で結露することがなくなり、アイロン本体の後部に設けた受水部より本体タンクへの供給を制御する水位検知手段、信号処理手段が誤動作することがなく、安全で、安心してアイロン掛けができ、使い勝手のよいアイロン装置を得ることができる。
【００１４】
また、請求項３に記載の発明によれば、カバーに穴部を設け、この穴部を本体タンクの置換穴と同軸上に設けるとともに、連結部材で連結したことで、置換穴をアイロン本体の外郭部に露出させても、デザイン性を損なうことなく、見栄えのよいものを提供することができる。
【００１５】
また、請求項４に記載の発明によれば、連結部材は、ゴム等の弾性体で構成したことで、連結部材が、本体タンクおよびカバーとの隙間なく当接することができ、アイロン内部で結露することがなくなり、水位検知手段、信号処理手段が誤動作することがなく、より安全で、使い勝手のよいアイロン装置を得ることができる。
【００１６】
また、請求項５に記載の発明によれば、連結部材は、弁体と一体に構成したことで、アイロン内部で結露することがなくなり、水位検知手段、信号処理手段が誤動作することがなく、万が一、誤動作した場合でも、本体タンクの置換穴から水が噴出することがなくなり、安価で、使い勝手のよいアイロン装置を得ることができる。
【００１７】
そして、請求項６に記載の発明によれば、ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記カバーを透明または半透明の部材で構成したことで、本体タンク内の水量を確認することができ、自動給水の状況も含めて水量を確認しながらアイロン掛けをすることができるとともに、本体タンクへの水の供給量により、貯水タンクの水の状態も確認することができ、水量を確認しながらアイロン掛けをすることができる。
【発明を実施するための最良の形態】
【００１８】
本発明の請求項１に記載の発明は、ヒータによって加熱されるベース、前記ベースに形成した気化室、前記気化室に供給される水を貯える本体タンク、前記本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに溢水防止用の弁体を設けたことで、アイロン本体の後部に設けた受水部より本体タンクに水を供給するが、その供給を制御する水位検知手段、信号処理手段が誤動作した場合、本体タンクの置換穴から水が噴出することがなくなり、使い勝手のよいアイロン装置を得ることができる。
【００１９】
請求項２に記載の発明は、ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記本体タンクに置換穴を設けるとともに、この置換穴をアイロン本体の外郭部に露出させたことで、本体タンク内の水が蒸発した場合においても、アイロン内部で結露することがなくなり、アイロン本体の後部に設けた受水部より本体タンクへの供給を制御する水位検知手段、信号処理手段が誤動作することがなく、安全で、使い勝手のよいアイロン装置を得ることができる。
【００２０】
請求項３に記載の発明は、上記請求項２記載の発明において、カバーに穴部を設け、この穴部を本体タンクの置換穴と同軸上に設けるとともに、連結部材で連結したことで、置換穴をアイロン本体の外郭部に露出させても、デザイン性を損なうことなく、見栄えのよいものを提供することができる。
【００２１】
請求項４に記載の発明は、上記請求項３記載の発明において、連結部材は、ゴム等の弾性体で構成したことで、連結部材が、本体タンクおよびカバーとの隙間なく当接することができ、アイロン内部で結露することがなくなり、水位検知手段、信号処理手段が誤動作することがなく、より安全で、使い勝手のよいアイロン装置を得ることができる。
【００２２】
請求項５に記載の発明は、上記請求項３または４記載の発明において、連結部材は、弁体と一体に構成したことで、アイロン内部で結露することがなくなり、水位検知手段、信号処理手段が誤動作することがなく、万が一、誤動作した場合でも、本体タンクの置換穴から水が噴出することがなくなり、使い勝手のよいアイロン装置を得ることができる。
【００２３】
請求項６に記載の発明は、ヒータによって加熱されるベース、前記ベースに形成した気化室、前記気化室に供給される水を貯える本体タンク、前記本体タンクを覆うカバー、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記本体タンクに供給される水を貯える貯水タンク、前記貯水タンクの水を前記給水部に供給するポンプ装置、前記載置部に前記アイロン本体を載置した時に、前記アイロン本体の前記受電端子と電気的に接続される電極を有する給電部を備えたスタンドとを具備し、前記カバーを透明または半透明の部材で構成したことで、本体タンク内の水量を確認することができ、自動給水の状況も含めて水量を確認しながらアイロン掛けをすることができる。
【実施例１】
【００２４】
以下、本発明の一実施例を図面を用いて説明する。図１および図２において、１はアイロン本体で、蓋体２に覆われた気化室３を形成したベース４、このベース４を加熱するヒータ５、気化室３に導水路６を介して連結した本体タンク７、この本体タンク７に水を供給するための受水部８、ヒータ５に接続された受電端子９、本体タンク７の水位を検知する水位検知手段１０、水位検知手段１０の信号を処理する信号処理手段１１を有している。
【００２５】
本体タンク７の上部には、置換穴１２を設けてあり、この置換穴１２の外周を覆うように、ゴム製の連結部材１４が取付けられている。そして、連結部材１４の上部には貫通穴１５が設けられている。この貫通穴１５と置換穴１２との間には、鋼球等より成る弁体１３が上下に移動して貫通穴１５を開閉可能に組み込まれ、本体タンク７に対して、連結部材１４と一体化して貫通穴１５を開閉する機能を果たすよう構成されている。１６は、透明または半透明部材で構成したカバーで、本体タンク７に対向する位置に、連結部材１４で隙間がなくなるように取付けられており、置換穴１２のすぐ上に同軸上に穴部１７が設けられている。
【００２６】
１８はスタンドで、アイロン本体１をベース４の後部を下方にして傾斜載置する載置部１９、アイロン本体１の受電端子９と各々接続される複数の給電部２０、前記アイロン本体１の受水部８と対向した位置、すなわち、受電端子９より上方かつ後方で、なおかつ、載置部１９の左右の中央に設けられた給水部２１、アイロン本体１の本体タンク７に給水部２１および受水部８を介して供給する水を貯えるための貯水タンク２２を有している。
【００２７】
さらに、上記スタンド１２には、貯水タンク１７に貯えられた水を給水部２１および受水部８を介してアイロン本体１のタンク７へ送るためのポンプ装置２３、ヒータ５への通電およびこのポンプ装置２３の駆動を制御する複数の電子部品により構成された制御手段２４を有している。
【００２８】
上記構成において、次に動作、作用を説明する。まず、アイロンがけを行うときはアイロン本体１をスタンド１８の載置部１９に載置して電源を投入する。このとき、アイロン本体１に設けられている受水部８とスタンド１８に設けられている給水部２１は接続される。そして、アイロン本体１の本体タンク７とスタンド１８の貯水タンク２２が連通状態となる。
【００２９】
そして水位検知手段１０で、本体タンク７の水位を検知して、その信号は信号処理手段１１を介して制御手段２４に送られ、ポンプ装置２３を駆動し、貯水タンク２２の水は給水部２１および受水部８を介して、アイロン本体１の本体タンク７へ給水される。アイロン本体１の本体タンク７に所定の水量が給水されると水位検知手段１０により検知し、その信号は信号処理手段１１を介して制御手段２４に送られ、制御手段２４によってポンプ装置２３が停止する。
【００３０】
ここで、万が一、水位検知手段１０、信号処理手段１１または、制御手段２４の故障等により、誤動作して、貯水タンクからの水の給水が停止しない場合、本体タンク７に設けた置換穴１２から水が溢れるが、溢れた水により、弁体１３が連結部材１４に設けた貫通穴１５を塞ぐため、水がアイロン本体１内部や、外郭部から噴出することがなくなり、使い勝手のよいアイロン装置を得ることができる。
【００３１】
また、アイロンを長時間使用した場合、本体タンク７内の水が蒸発するが、蒸発した蒸気は、本体タンク７の置換穴１２を通り、連結部材１４の貫通穴１５を経由し、カバー１６に設けた穴部１７より外部に排出されるため、アイロン本体１内部に入り結露し、信号処理手段１１に付着して故障等を起こすこともなくなり、安全で、安心してアイロンがけを行うことができる。
【００３２】
また、連結部材１４は弾性を有するゴムで構成しているので、連結部材１４とカバー１６との隙間がなくなり、故障防止の点で、より大きな効果が得られる。
【００３３】
また、カバー１６を透明または半透明の部材で構成したことで、本体タンク７内の水量を確認することができ、自動給水の状況も含めて水量を確認しながらアイロン掛けをすることができる。
【図面の簡単な説明】
【００３４】
【図１】本発明の実施例におけるアイロン装置の断面図
【図２】同アイロン装置の要部拡大断面図
【符号の説明】
【００３５】
１    アイロン本体
３    気化室
４    ベース
５    ヒータ
７    本体タンク
８    受水部
９    受電端子
１２  置換穴
１３  弁体
１４  連結部材
１５  貫通穴
１６  カバー
１７  穴部
１８  スタンド
１９  載置部
２０  給電部
２１  給水部
２２  貯水タンク
２３  ポンプ装置
【図１】
2005040323.tif 000003
【図２】
2005040323.tif 000004